(57)【要約】【課題】車椅子使用者も健常者と同様に原稿台に載置した原稿の位置確認を容易に行えるようにすること。【解決手段】原稿載置部２０１は、原稿が載置されるプラテンガラス４と、原稿台に開閉可能に設けられて、プラテンガラス４を閉めた状態で、原稿をプラテンガラス４に押さえ付ける圧板２０と、原稿台に載置された原稿の位置決め指針となる平面横指標板６と原稿とを映す鏡２５８を有する突出機構２５０と、を備えている。車椅子使用者は、鏡２５８に映る指標版６と原稿とによって原稿の位置を確認できる。【選択図】図１３
2017103693.tif 000002
【特許請求の範囲】
【請求項１】
原稿が載置される原稿台と、
前記原稿台に開閉可能に設けられて、前記原稿台を閉めた状態で、原稿を前記原稿台に押さえ付ける押圧手段と、
前記原稿台に載置された原稿の位置決め指針となる原稿位置決め部材と、
前記原稿台に突出して設けられ、前記原稿台に載置された原稿の位置を確認するための原稿位置確認部と、を備えた、
ことを特徴とする原稿載置装置。
【請求項２】
前記原稿位置確認部は、前記原稿位置決め部材と前記原稿台に載置された原稿とを映す反射部材を有する突出部である、
ことを特徴とする請求項１に記載の原稿載置装置。
【請求項３】
前記突出部は、前記押圧手段の開閉動作に連動し、前記押圧手段が開かれると前記原稿台上に突出する、
ことを特徴とする請求項２に記載の原稿載置装置。
【請求項４】
前記突出部は、前記原稿台に載置された原稿の位置決め指針となる第２の原稿位置決め部材を備えている、
ことを特徴とする請求項２又は３に記載の原稿載置装置。
【請求項５】
前記原稿台に前記原稿位置決め部材に対して直交する方向に配置されて、前記原稿台に載置された原稿の位置決め指針となる第３の原稿位置決め部材を備え、
前記反射部材は、前記原稿台に載置された原稿と前記原稿位置決め部材及び前記第３の原稿位置決め部材を映す、
ことを特徴とする請求項２乃至４のいずれか１項に記載の原稿載置装置。
【請求項６】
前記突出部は、前記反射部材を有して上下方向に移動可能な移動部材と、前記移動部材を上方に付勢する付勢部材と、を有し、
前記移動部材は、前記原稿台を閉める前記押圧手段に押されて、前記付勢部材に抗して下方へ移動可能である、
ことを特徴とする請求項２乃至５のいずれか１項に記載の原稿載置装置。
【請求項７】
前記原稿位置確認部は、前記原稿台に載置された原稿の位置決め指針となる第２の原稿位置決め部材を備えている、
ことを特徴とする請求項１に記載の原稿載置装置。
【請求項８】
前記原稿位置確認部は、前記原稿台に着脱可能に設けられている、
ことを特徴とする請求項２乃至７のいずれか１項に記載の原稿載置装置。
【請求項９】
前記請求項１乃至８のいずれか１項に記載の原稿載置装置と、
前記原稿載置装置に載置された原稿を読み取る読取部と、を備えた、
ことを特徴とする画像読取装置。
【請求項１０】
前記請求項９に記載の原稿載置装置と、前記原稿載置装置に載置された原稿を読み取る読取部とを有する画像読取装置と、
前記画像読取装置が読み取った画像をシートに形成する画像形成手段と、を備えた、
ことを特徴とする画像形成装置。
【発明の詳細な説明】
【技術分野】
【０００１】
本願発明は、原稿が載置される原稿載置装置と、この原稿載置装置を有して原稿載置装置に載置された原稿を読み取る画像読取装置と、この画像読取装置を有して画像読取装置の画像読取情報に基づいてシートに画像を形成する画像形成装置とに関する。
【背景技術】
【０００２】
電子写真複写機等の画像形成装置は、画像形成装置本体の上部に設けられた画像読取装置が読み取った原稿の画像をシートに複写するようになっている。そして、画像読取装置は、原稿が載置される原稿載置装置としての原稿載置部と、原稿載置装置に載置された原稿を読み取る読取部とを備えており、読取部が読み取った画像情報を画像形成装置の装置本体に送信するようになっている。
【０００３】
このように、画像形成装置は、装置本体の上部に画像読取装置を備えており、画像読取装置は読取部の上部に原稿載置部を備えている。このため、画像形成装置全体としての構成は、最上部に原稿載置部を備えていることになり、原稿載置部の高さは、ユーザが使い易い高さ、例えば、約１ｍに設定されていることが多い。
【０００４】
そして、原稿載置部は、原稿が載置される原稿台と、原稿台に開閉可能に設けられて、原稿台を閉めた状態で、原稿を原稿台に押さえ付ける押圧手段としての圧板とを備えている。原稿台は、原稿が載置される方形状のプラテンガラスと、プラテンガラスの縁を囲むフレーム等で形成されている。フレームがプラテンガラスを囲む奥側の縁には、左奥角から右方向に、プラテンガラスに載置された原稿の位置決め指針となる原稿の横サイズ目盛が刻設されている。さらに、左側の縁には、左奥角から手前側に縦サイズ目盛が刻設されている。
【０００５】
原稿載置部は、画像形成装置で原稿を複写する場合、圧板の手前側を持ち上げて、開放したプラテンガラスに、原稿を、横サイズ目盛と縦サイズ目盛に合わせて載置した後、圧板を元に戻して原稿を押さえ付けて、原稿を読み取れるようにする必要がある。
【０００６】
ところが、原稿台の上記約１ｍの高さは、ユーザが健常者であることを想定して設定した高さである。このため、車椅子に乗った人は、手を伸ばすことで圧板を開閉することができても、プラテンガラスの上面が見にくく、原稿をプラテンガラスの左奥角に位置を合わせたことを確認するのが困難であった。また、横サイズ目盛がプラテンガラスの奥側にあるため横サイズ目盛を読み取りにくく、原稿のサイズを確認するのが困難であった。
【０００７】
そこで、従来、車椅子使用者が、圧板のプラテンガラスに対向する面に鏡を設け、鏡によって、原稿の載置位置を確認できるようにした画像載置装置がある（特許文献１）。
【０００８】
また、圧板のプラテンガラスに対向する面に鏡を設け、新たに設けた逆目盛の横サイズ目盛（鏡像指標）を鏡で見て、原稿のサイズを確認できるようにした画像載置装置がある（特許文献２）。
【先行技術文献】
【特許文献】
【０００９】
【特許文献１】特開２００４−１８４７９８号公報
【特許文献２】特開２００３−２８０１１３号公報
【発明の概要】
【発明が解決しようとする課題】
【００１０】
しかし、従来の原稿載置装置は、開閉する圧板に取り付けられた鏡によって原稿の載置位置や、原稿のサイズを確認するため、鏡にプラテンガラスの左奥角や、横サイズ目盛が写るように、圧板の開き角度を調節しなければならなかった。しかも、車椅子使用者は、一方の手を延ばし、不安定な姿勢で、圧板の開き角度を調節した状態を維持しながら、他方の手で、原稿台に原稿を載置するため、原稿台に原稿を載置するのが困難であるという問題があった。
【００１１】
本発明は、車椅子使用者が原稿台に載置した原稿の位置の確認を容易に行える原稿載置装置を提供することにある。
【課題を解決するための手段】
【００１２】
本発明の原稿載置装置は、原稿が載置される原稿台と、前記原稿台に開閉可能に設けられて、前記原稿台を閉めた状態で、原稿を前記原稿台に押さえ付ける押圧手段と、前記原稿台に載置された原稿の位置決め指針となる原稿位置決め部材と、前記原稿台に突出して設けられ、前記原稿台に載置された原稿の位置を確認するための原稿位置確認部と、を備えた、ことを特徴としている。
【００１３】
本発明の画像読取装置は、上記の原稿載置装置と、前記原稿載置装置に載置された原稿を読み取る読取部と、を備えた、ことを特徴としている。
【００１４】
本発明の画像形成装置は、上記の原稿載置装置と、前記原稿載置装置に載置された原稿を読み取る読取部とを有する画像読取装置と、前記画像読取装置が読み取った画像をシートに形成する画像形成手段と、を備えた、ことを特徴としている。
【発明の効果】
【００１５】
本発明の原稿載置装置は、車椅子使用者が原稿台に載置した原稿の位置の確認を容易に行うことができる。
【図面の簡単な説明】
【００１６】
【図１】車椅子に着座した車椅子使用者が本発明の実施形態の画像形成装置を操作するときの図である。
【図２】本発明の実施形態の画像形成装置を健常者が操作するときの図である。
【図３】本発明の実施形態における画像形成装置の全体構造を模式的に示す断面図である。
【図４】本発明の第１実施形態における原稿載置部の、圧板を開いたときの斜視図である。
【図５】図４の原稿載置部において、図２に示す健常者の視線で見えるプラテンガラス及び平面横指標板とその周辺の図である。
【図６】図４の原稿載置部において、図１に示す車椅子使用者の視線で見えるプラテンガラスの奥の立面横指標板を示す図である。
【図７】図４の原稿載置部において、圧板によってプラテンガラスを閉めたときの立面横指標板の没入状態を示した断面図である。
【図８】図４の原稿載置部において、圧板によってプラテンガラスを開閉するときの立面横指標板の突出状態を示した断面図である。
【図９】立面横指標板を平面横指標板の後に出没自在に突出させる原稿位置確認部としての突出機構の概略斜視図である。
【図１０】本発明の第２実施形態における原稿載置部の、圧板を開いたときの斜視図である。
【図１１】図１０の原稿載置部において、図１に示す車椅子使用者の視線で見えるプラテンガラスの奥の立面横指標板を示す図である。
【図１２】図１０の原稿載置部において、圧板によってプラテンガラスを閉めたときの立面横指標板の没入状態を示した断面図である。
【図１３】図１０の原稿載置部において、圧板によってプラテンガラスを開閉するときの立面横指標板の突出状態を示した断面図である。
【図１４】図１０の原稿載置部において、原稿位置確認部、突出部としての突出機構を取外した図であり、圧板を省略した図である。
【図１５】図１４の突出機構の概略斜視図である。
【図１６】図１３、図１４の突出機構の着脱動作を説明する図である。
【図１７】図１０の原稿載置部において、突出機構を取外した図であり、図１０に相当する斜視図である。
【図１８】図１６において、突出機構を取り外して、原稿台を塞いだときの断面概略図である。
【発明を実施するための形態】
【００１７】
以下、本発明の実施形態の原稿載置装置としての原稿載置部と、この原稿載置装置を備えた画像読取装置と、この画像読取装置を備えた画像形成装置とを図に基づいて説明をする。
【００１８】
（画像形成装置１）
図１は、車椅子に着座した車椅子使用者Ｕａが本発明の実施形態の画像形成装置１を操作するときの図である。図２は、本発明の実施形態の画像形成装置１を健常者Ｕｂが操作するときの図である。図３は、本発明の実施形態における画像形成装置１の全体構造を模式的に示す断面図である。なお、以下においては、車椅子使用者Ｕａ或いは健常者Ｕｂが画像形成装置１を使用するときに臨む操作パネル１ＰＡ（図１、図２）に正面側を「手前側」とし、背面側を「奥側」とする。つまり、図３は、画像形成装置１を手前側から見た、画像形成装置１の内部構成を示した断面図である。
【００１９】
画像形成装置１は、装置本体１Ａと、装置本体１Ａの上部に設けられて原稿の画像を読み取る画像読取装置１００とを備えている。画像形成装置１は、画像読取装置１００が読み取った原稿の画像情報、或いは外部情報機器としてのファクシミリやパソコン等からの外部の画像情報に基づいても、シートに画像を形成することができるようになっている。
【００２０】
装置本体１Ａ内には、シートＰを給送するシート給送部１１０と、シートＰにトナー像を形成する画像形成部１２０と、シートＰにトナー像を定着する定着器１３０と、シートＰを排出する排出部１４０等が設けられている。さらに、装置本体１Ａ内には、シートの両面に画像を形成するとき、シートを、再度、画像形成部１２０に案内するシート反転部１５０も設けられている。
【００２１】
シート給送部１１０は、装置本体１Ａの下部に設けられている。シート給送部１１０は、シートＰを積載する積載トレイ１１１と、積載トレイ１１１に積載されたシートＰをピックアップするピックアップローラ１１２と、ピックアップされたシートＰを分離給送する分離ローラ対１１３等を備えている。また、シート給送部１１０は、装置本体１Ａの側方からシートＰを手差し給送可能な手差し給紙部１１６を備えている。手差し給紙部１１６は、シートＰを積載する手差しトレイ１１７と、手差しトレイ１１７に積載されたシートＰを分離給送する分離給送ローラ１１８とを備えている。手差しトレイ１１７は、装置本体１Ａに開閉自在に設けられており、開いた状態でシートを積載できるようになっている。
【００２２】
画像形成部１２０は、シート給送部１１０の上方に設けられている。画像形成部（画像形成手段）１２０は、トナー像が形成される感光ドラム１２１と、感光ドラム１２１の表面を一様に帯電する帯電ローラ１２２と、レーザ光Ｌを照射して感光ドラム１２１に静電潜像を形成するレーザ照射装置１２３とを備えている。さらに、画像形成部１２０は、感光ドラム１２１の静電潜像をトナー像にする現像装置１２４と、感光ドラムに当接する転写ローラ１２５と、感光ドラムの表面に残留した残留トナーを回収する残留トナー回収器１２６、及び不図示のクリーニングブレード等も備えている。
【００２３】
残留トナー回収器１２６は、感光ドラム１２１の傍に設けられている。定着器１３０は、画像形成部１２０のシート搬送方向の下流側のシート搬送路に設けられている。排出部１４０は、定着器１３０の下流側に設けられて、シートＰを装置本体１Ａの内部から排出する排出ローラ対１４１と、排出されたシートＰを積載する排出トレイ１４２とを備えている。
【００２４】
画像読取装置１００は、画像形成装置１の装置本体１Ａの上部に設けられている。画像読取装置１００は、原稿が載置される原稿載置部（原稿載置装置）１０１と、画像読取部としての読取スキャナ１０２等を備えている。
【００２５】
次に、画像形成装置１の動作を説明する。画像形成装置１の画像形成ジョブが開始されると、画像読取装置１００は、ユーザによって原稿載置部１０１に載置された原稿を読取スキャナ１０２で読み取り、読み取った情報を画像情報としてレーザ照射装置１２３に送信する。レーザ照射装置１２３は、読取スキャナ１０２から送信されてくる原稿等の画像情報に応じて、感光ドラム１２１の表面にレーザ光Ｌを照射する。なお、レーザ照射装置１２３は、外部の情報機器から送信されてくる原稿等の画像情報に応じて、感光ドラム１２１の表面にレーザ光Ｌを照射することもできる。
【００２６】
すると、帯電ローラ１２２によって所定の極性電位に一様に帯電されている感光ドラム１２１の周面が露光されて、感光ドラム１２１の周面に静電潜像が形成される。感光ドラム１２１の周面に形成された静電潜像は、現像装置１２４によってトナー現像されて、トナー像として可視化される。感光ドラム１２１は、トナー像を担持する像担持体である。
【００２７】
このトナー像の形成動作に並行して、ピックアップローラ１１２が積載トレイ１１１からシートを送り出し、分離ローラ対１１３が引き継いでシートを搬送する。このとき、積載トレイ１１１からシートが重なって送り出されると、分離ローラ対１１３がシートを１枚に分離して搬送する。その後、搬送ローラ対１１４により、搬送ローラ対１１４の下流側のシート搬送路に設けられたレジストローラ対１１５に搬送される。そして、シートは、レジストローラ対１１５で斜行が補正される。斜行が補正されたシートＰは、その後、所定のタイミングで感光ドラム１２１と転写ローラ１２５との転写ニップＮＰに搬送され、可視化されたトナー像が転写ローラ１２５によって転写される。トナー像が転写されたシートＰは、転写ニップＮＰから定着器１３０に搬送され、定着器１３０で熱及び圧力を受けて、トナー像を定着される。その後、トナー像が定着されたシートＰは、排出ローラ対１４１によって排出トレイ１４２に排出され、画像形成ジョブが終了する。
【００２８】
次に、シートの裏面にトナー像を形成する動作を説明する。シートの表面（おもてめん）にトナー像を形成されたシートＰは、中間排出ローラ対１５１によってシート反転部１５０に送られて、反転パス１５２、反転ローラ１５３の順に搬送され、先端が胴内排紙方向（矢印Ｃ方向）に排出される。反転ローラ１５３に狭持されたシートＰの後端が搬送路切替部材１５４を抜けて、約７ｍｍの位置（図示していないシート検知センサの通過時間から算出）で反転ローラ１５３の回転が停止され逆回転される。シートＰは、逆回転された反転ローラ１５３によって、再び装置本体内に引き込まれ（矢印Ｄ方向）、両面搬送ローラ対１５５ａに搬送される。この間にシートは表裏反転されている。シートは、両面搬送ローラ対１５５ａ，１５５ｂ，１５５ｃによって再びレジストローラ対１１５、転写ニップＮＰに搬送される。この際、シートＰの裏面側が感光ドラム１２１側にくるようになっている。シートＰは、転写ニップＮＰで裏面にトナー像を転写され、その後、定着器１３０でトナー像を定着されて、排出ローラ対１４１によって排出トレイ１４２に排出される。これによって、画像形成装置１による一連の画像形成動作が終了する。
【００２９】
（第１実施形態の原稿載置部１０１）
以下、本発明の第１実施形態の原稿載置部１０１を図４乃至図８に基づいて説明する。
【００３０】
図４は、本発明の第１実施形態における原稿載置部１０１の、圧板２０を開いたときの斜視図である。図５は、図４の原稿載置部１０１において、図２に示す健常者Ｕｂの視線Ｓｂで見えるプラテンガラス４及び平面横指標板６（第１の指標板）とその周辺の図である。図６は、図４の原稿載置部１０１において、図１に示す車椅子使用者Ｕａの視線Ｓａで見えるプラテンガラス４の奥の立面横指標板８（第２の指標板）を示す図である。図７は、図４の原稿載置部１０１において、圧板２０によってプラテンガラス４を閉めたときの立面横指標板８の没入状態を示した断面図である。図８は、図４の原稿載置部１０１において、圧板２０によってプラテンガラス４を開閉するときの立面横指標板８の突出状態を示した断面図である。図９は、立面横指標板８を平面横指標板６の背後（後側）に出没自在に突出させる（出没を許容する）突出機構５０の概略斜視図である。
【００３１】
図３において、画像形成装置の装置本体１Ａの上部は、画像読取装置１００のフレーム１００Ａと兼用されている。フレーム１００Ａ内に、読み取りスキャナ１０２がプラテンガラス４に載置されて原稿を読み取るとき右方向（Ｅ方向）に移動し、読み終えると左方向（Ｆ方向）に移動するように設けられている。
【００３２】
図４乃至図８において、原稿載置部１０１は、画像読取装置１００のフレーム１００Ａの上部に設けられた長方形の枠状に形成された読取上カバー１０をベースにした構造になっている。読取上カバー１０の枠状の開口部１０ａは、読取上カバー１０の下方の内側から設けられた透明なプラテンガラス４によって塞がれている。プラテンガラス４は、読取上カバー１０に略水平に取り付けられている。読取上カバー１０とプラテンガラス４は、原稿台３０を構成している。原稿台３０は、平面視方形状に形成されている。
【００３３】
読取上カバー１０の上部には、プラテンガラス４を開閉自在に覆う、押圧手段としての板状の圧板２０を設けてある。圧板２０は、読取上カバー１０の上面奥側に設けられたヒンジ２０Ａ（図１）により、手前側を持ち上げるとプラテンガラス４を開閉できるようになっている（開閉可能になっている）。圧板２０の下面には、弾性を備えた平板状の圧板２１が設けられている。圧板２１は、圧板２０がプラテンガラス４を閉めたとき、プラテンガラス４に載置された原稿をプラテンガラス４に密着させる役目をするようになっている。
【００３４】
方形枠状の読取上カバー１０の奥側の縁に沿って、長尺の平面横指標板６が平面的に設けられている。第１の原稿位置決め部材としての平面横指標板６には、原稿台３０に載置された原稿の位置決め指針となる第１の目盛としての平面横目盛６ｂが形成されている。また、方形枠状の読取上カバー１０の左側の縁に沿って、長尺の平面縦指標板（第３の指標板）７が平面的に設けられている。第３の原稿位置決め部材としての平面縦指標板７にも、原稿台に載置された原稿の位置決め指針となる第３の目盛としての平面縦目盛７ｂが形成されている。平面横指標板６と平面縦指標板７は、直角（互いに直交する方向）に配置されている。平面横目盛６ｂと平面縦目盛７ｂは、平面横指標板６と平面縦指標板７とで形成される直角な角から離れる方向に形成されている。
【００３５】
図７乃至図９において、本実施形態の原稿載置部１０１は、圧板２０を開閉すると、これに伴って、立面横指標板８が平面横指標板６の後側（奥側）で出没するようになっている。立面横指標板８は、突出機構５０（図７、図８）によって、原稿台３０を出没するようになっている。突出機構５０は、凹部１１に収納されている。凹部１１は、原稿台３０に、平面横指標板６の後側に沿って左右方向（図５の左右方向）読取上カバー１０に横長に形成されている。
【００３６】
突出機構（原稿位置確認部）５０（図７乃至図９）は、凹部１１の手前側の壁から奥側に向けて突出したブラケット５１を有している。ブラケット５１は、平面横指標板６の両端近くと、両端の間との複数個所に配置されている。複数のブラケット５１には、回転軸５２が平面横指標板６に沿って水平に貫通して設けられている。回転軸５２の両端には、移動部材としての回転部材５３が設けられている。１対の回転部材５３には、横支持板でもある立面横指標板８が渡して設けられている。回転軸５２、回転部材５３及び立面横指標板８は、一体に形成されて、ブラケット５１に矢印Ａ，Ｂ方向に回転自在に支持されている。第２の原稿位置決め部材としての立面横指標板８には、原稿台に載置された原稿の位置決め指針となる第２の目盛としての立面横目盛８ｂが形成されている。
【００３７】
回転部材５３近くの回転軸５２には、付勢部材としての捩じりばね１２が設けられている。捩じりばね１２の一端は、凹部１１の手前側の壁に当接し、他端は回転部材５３に係合している。捩じりばね１２は、立面横指標板８が起立する方向（矢印Ａ）方向に回転軸５２、回転部材５３及び立面横指標板８を回転付勢している。回転付勢を受けている回転軸５２、回転部材５３及び立面横指標板８は、回転部材５３が凹部１１の手間側の縁１１ａに当接して回転止めされ、立面横指標板８が起立状態に保持されるようになっている。
【００３８】
図７において、突出機構５０の立面横指標板８は、圧板２０がプラテンガラス４を閉めているとき、圧板２０のリブ２２に押され、捩じりばね１２に抗して、回転部材５３と共に、矢印Ａ方向に回転し、奥側に倒れている。このため、立面横指標板８は、凹部１１に略没入している。
【００３９】
プラテンガラス４に原稿を載置するために、図４、図８に示すように、圧板２０の手前側を持ち上げて圧板２０を矢印Ｊ方向に回転させてプラテンガラス４の原稿載置面４ａを開放する。すると、今まで、捩じりばね１２に抗して圧板２０によって凹部１１内に押さえ込まれていた、回転部材５３が、捩じりばね１２によって、矢印Ｂ方向に回転して凹部１１の縁１１ａに受け止められる。すると、立面横指標板８が、凹部１１から上方に突出して、平面横指標板６の背後に起立状態になる。
【００４０】
図４において、圧板２０を開いて、プラテンガラス４の原稿載置面４ａを開放した状態において、原稿Ｄは、平面横指標板６の縁６ａと平面縦指標板７の縁７ａとに突き当てられて、平面横指標板６と平面縦指標板７で形成される角４ｂに位置決めされる。これによって、平面横指標板６の平面横目盛６ｂと平面縦指標板７の平面縦目盛７ｂとの少なくとも一方の目盛から原稿のサイズを判断することができる。
【００４１】
図２のように、健常者Ｕｂがプラテンガラス４を開いたとき、健常者の視線Ｓｂは、プラテンガラス４を見下ろす視線になるので、原稿Ｄを平面横指標板６と平面縦指標板７とに突き当てて、角４ｂに位置決めして、原稿のサイズを容易に確認することができる。そして、健常者Ｕｂは、原稿のサイズに応じて、原稿を複写するシートのサイズを画像形成装置の装置本体１Ａの手前側に設けられている操作パネル１ＰＡに入力することができる。
【００４２】
ところが、図１に示すように、車椅子使用者Ｕａがプラテンガラス４を開いたときの、車椅子使用者Ｕａの視線Ｓａは、略水平であり、健常者Ｕｂ程ではないが多少下向きにすることができる。車椅子使用者Ｕａは、視線Ｓａを水平よりやや下向きにし、手を延ばして原稿を平面横指標板６の縁６ａと平面縦指標板７の縁７ａとに突き当てて、角４ｂに位置決めする。しかし、原稿台３０の高さが、健常者が使用し易い高さに設定されているため、車椅子使用者Ｕａは、車椅子から身を乗り出さないと、平面横指標板６の平面横目盛６ｂ或いは平面縦指標板７の平面縦目盛７ｂを見ることができない。車椅子使用者Ｕａは、車椅子から身を乗り出すことが困難であり、目盛を見るのが困難である。
【００４３】
しかし、本実施形態の原稿載置部２０１は、圧板２０の開閉動作に連動して、平面横指標板６の背後に立面横指標板８が突出するようになっている。このため、車椅子使用者Ｕａは、略水平な視線Ｓａ或いは多少下向きの視線で、立面横指標板８の立面横目盛８ｂと原稿とを見比べることができて、車椅子から身を乗り出すことなく原稿のサイズを確認することができる。そして、操作パネル１ＰＡに原稿を複写するシートのサイズを入力することができる。また、立面横目盛８ｂは、従来と異なって逆目盛になっていない。このため、健常者としては、平面横目盛６ｂと立面横目盛８ｂとの両方の目盛が目に写っても、使用上の煩わしさを感じることが、従来よりも少なくなる。
【００４４】
プラテンガラス４に原稿が載置された後、圧板２０によって、プラテンガラス４を閉めると、図７に示すように、立面横指標板８は、凹部１１に没入する。このため、圧板２０は、立面横指標板８によって損傷を受けることを防止される。また、圧板２０は、原稿をプラテンガラス４の原稿載置面４ａに押圧することができる。
【００４５】
なお、立面横指標板８は、回転するようになっているが、回転しないで、プラテンガラス４に対して略垂直な状態で昇降して凹部１１を出没し、平面横指標板６の背後に突出するようにしてもよい。したがって、立面横指標板８は、プラテンガラス４より上方に突出するのに、回転する場合に限定されるものでは無く、昇降して突出するようにしてもよい。すなわち、立面横指標板８は、上下方向に移動可能になっていればよい。
【００４６】
さらに、本実施形態の原稿載置部１０１の突出機構５０は、後述する第２実施形態の原稿載置部２０１の突出機構２５０と同様に、原稿台３０に平面横指標板６の背後に形成されている凹部１１に着脱できるようにしてもよい。したがって、本実施形態の原稿載置部１０１の突出機構５０は、原稿台３０に固定されていることに限定されるものではない。
【００４７】
（第２実施形態の原稿載置部２０１）
以下、本発明の第２実施形態の原稿載置部２０１を図１０乃至図１８に基づいて説明する。第２実施形態の原稿載置部２０１は、鏡（反射部材）２５８によってプラテンガラス４上の原稿の位置を確認できる構成になっている。また、突出機構と立面横指標板とを読取上カバーに対して着脱できる構成になっている。第２実施形態において、第１実施形態で説明した部分と同一の部分は、同一の符号を付して説明を簡略化或いは省略する。
【００４８】
図１０は、本発明の第２実施形態における原稿載置部２０１の、圧板２０を開いたときの斜視図である。図１１は、図１０の原稿載置部２０１において、図１に示す車椅子使用者Ｕａの視線Ｓａで見えるプラテンガラス４の奥の立面横指標板８を示す図である。図１２は、図１０の原稿載置部２０１において、圧板２０によってプラテンガラス４を閉めたときの立面横指標板２０８の没入状態を示した断面図である。図１３は、図１０の原稿載置部２０１において、圧板２０によってプラテンガラス４を開閉するときの立面横指標板２０８の突出状態を示した断面図である。図１４は、図１０の原稿載置部２０１において、原稿位置確認部、突出部としての突出機構２５０を取外した図であり、圧板２０を省略した図である。図１５は、図１４の突出機構２５０の概略斜視図である。図１６は、図１３、図１４の突出機構２５０の着脱動作を説明する図である。図１７は、図１０の原稿載置部２０１において、突出機構２５０を取外した図であり、図１０に相当する斜視図である。図１８は、図１６において、突出機構２５０を取り外して、原稿台２３０を閉めたときの断面概略図である。
【００４９】
図１０において、原稿載置部２０１は、画像読取装置１００のフレーム１００Ａの上部に設けられた長方形の枠状に形成された読取上カバー２１０をベースにした構造になっている。読取上カバー２１０の枠状の開口部２１０ａは、読取上カバー２１０の下方の内側から設けられた透明なプラテンガラス４によって塞がれている。プラテンガラス４は、読取上カバー２１０に略水平に取り付けられている。読取上カバー２１０とプラテンガラス４は、原稿台２３０を構成している。原稿台２３０は、平面視方形状に形成されている。
【００５０】
方形枠状の読取上カバー２１０の奥側の縁に沿って、原稿台２３０に載置された原稿の位置決め指針となる第２の目盛としての平面横目盛６ｂが形成された、長尺の原稿位置決め部材（第１の原稿位置決め部材）としての平面横指標板６が設けられている。また、方形枠状の読取上カバー２１０の左側の縁に沿って、原稿台に載置された原稿の位置決め指針となる第３の目盛としての平面縦目盛７ｂが形成された、長尺の第３の原稿位置決め部材としての平面縦指標板７が設けられている。
【００５１】
図１０、図１２、図１３において、本実施形態の原稿載置部（原稿載置装置）２０１も、圧板２０を開閉すると、これに伴って、立面横指標板８が平面横指標板６の後側（奥側）で出没するようになっている。立面横指標板８は、突出機構２５０によって、出没するようになっている。突出機構５０は、凹部２１１（図１２乃至図１４）に着脱可能に収納されている。凹部２１１は、平面横指標板６の後側に沿って左右方向に読取上カバー２１０に長方形状に形成されている。
【００５２】
図１５に示す突出機構（原稿位置確認部、突出部）２５０は、概略斜視図であるが、図１３に示す凹部２１１に組み込まれたときの姿勢を示しており、この姿勢を基にして、以下、突出機構２５０を説明する。突出機構２５０は、２つの端部基体２５４と３つの中間基体２５５とを有している。各基体は、接続板２５６によって接続されて一体化されている。２つの端部基体２５４の間に３つの中間基体２５５が配置されている。端部基体２５４には、端部ブラケット２５１が立設されている。中間基体２５５には、手前側から後側に水平に中間ブラケット２５７が突設している。複数のブラケットには、回転軸２５２が水平に貫通して設けられている。回転軸２５２の両端には、移動部材としての回転部材２５３が設けられている。１対の回転部材２５３には、横支持板でもある立面横指標板８と、立面横指標板８の下側に位置する鏡２５８が渡して設けられている。鏡２５８は、やや下向きに設けられている。なお、鏡２５８は、立面横指標板８の上側に設けられていてもよい。回転軸２５２、回転部材２５３、立面横指標板８及び鏡２５８は、一体に形成されて、ブラケット２５１，２５７に矢印Ａ，Ｂ方向に回転自在に支持されている。
【００５３】
回転部材２５３に近い回転軸２５２の両端部には、図１２に示す捩じりばね１２が設けられている（図１５には不図示）。捩じりばね１２の一端は、端部基体２５４に当接し、他端は回転部材２５３に係合している。なお、図１６に示す捩じりばね１２は、回転部材２５３に係合させる前の状態を示してある。捩じりばね１２は、立面横指標板８が起立する方向（矢印Ａ）方向に回転部材２５３、回転軸２５２、立面横指標板８及び鏡２５８を回転付勢している。回転付勢を受けている回転軸２５２、回転部材２５３、立面横指標板８及び鏡２５８は、突出機構２５０が凹部２１１に組み込まれたとき、回転部材５３が凹部２１１の手間側の縁２１１ａに当接して回転止めされて、起立状態に保持されるようになっている。端部基体２５４には、位置決め突起２５４ａが手前側に突設されている。図１２、図１３に示す凹部２１１には、位置決め突起２５４ａが嵌合する位置決め孔２１１ｂが形成されている。
【００５４】
図１６に示すように、突出機構２５０は、圧板２０が原稿台２３０を開いて、プラテンガラス４の原稿載置面４ａを開放した状態で、位置決め突起２５４ａを位置決め孔２１１ｂに着脱して、凹部２１１に装着、及び取り外しされるようになっている。
【００５５】
圧板２０がプラテンガラス４を閉めた図１２において、凹部２１１に装着された突出機構２５０の立面横指標板８と鏡２５８は、圧板２０のリブ２２に押され、捩じりばね１２に抗して、回転部材２５３と共に矢印Ａ方向に回転し、奥側に倒れている。このため、鏡２５８は凹部に没入し、立面横指標板８は凹部１１に略没入している。
【００５６】
プラテンガラス４の原稿載置面４ａに原稿を載置するために、図１３に示すように、圧板２０の手前側を持ち上げて圧板２０を矢印Ｊ方向に回転させてプラテンガラス４の原稿載置面４ａを開放する。すると、今まで、捩じりばね１２に抗して圧板２０によって凹部１１内に押さえ込まれていた、回転部材５３が、捩じりばね１２によって、矢印Ｂ方向に回転して凹部１１の縁１１ａに受け止められる。すると、立面横指標板８と鏡２５８が平面横指標板６の背後（奥側）に起立状態になる。
【００５７】
図１０において、圧板２０を開いて、プラテンガラス４の原稿載置面４ａを開放した状態において、原稿Ｄは、平面横指標板６の縁６ａと平面縦指標板７の縁７ａとに突き当てられて、平面横指標板６と平面縦指標板７で形成される角４ｂに位置決めされる。これによって、平面横指標板６の平面横目盛６ｂと平面縦指標板７の平面縦目盛７ｂとの少なくとも一方の目盛から原稿のサイズを判断することができる。
【００５８】
図２のように、健常者Ｕｂがプラテンガラス４を開いたとき、健常者Ｕｂの視線Ｓｂは、プラテンガラス４を見下ろす視線になるので、原稿Ｄを角４ｂに位置決めして、原稿のサイズを容易に確認することができる。そして、健常者Ｕｂは、原稿のサイズに応じて、原稿を複写するシートのサイズを操作パネル１ＰＡに入力することができる。
【００５９】
ところが、図１に示すように、車椅子使用者Ｕａがプラテンガラス４を開いたときの、車椅子使用者Ｕａの視線Ｓａは、略水平であり、健常者Ｕｂ程ではないが多少下向きにすることができる。車椅子使用者Ｕａは、視線Ｓａを水平よりやや下向きにし、手を延ばして原稿を角４ｂに位置決めする。
【００６０】
そして、本実施形態の原稿載置部２０１は、平面横指標板６の背後に立面横指標板８が突出するようになっている。このため、車椅子使用者Ｕａは、略水平な視線Ｓａ或いは多少下向きの視線で、立面横指標板８の立面横目盛８ｂと原稿とを見比べることができて、車椅子から身を乗り出すことなく原稿のサイズを確認することができる。さらに、本実施形態の原稿載置部２０１は、第１実施形態の原稿載置部２０１と異なって、鏡２５８を有している。鏡２５８は、やや下向きになっている。このため、車椅子使用者Ｕａは、鏡２５８によって、平面横指標板６の縁６ａに原稿が突き当てられていることと、角４ｂに位置決めされていることを車椅子から乗り出すことなく確認することができる。さらに、車椅子使用者Ｕａは、鏡２５８に映されている原稿と立面横指標板８の立面横目盛８ｂとを見比べて、原稿のサイズを速やかにかつ正確に確認することができる。
【００６１】
なお、図１１に示す符号Ｄ，６，６ａ，７，７ａは、鏡２５８に映っている原稿、平面横指標板６、平面横指標板の縁、平面縦指標板、平面指標板の縁を、各々を指示している。
【００６２】
プラテンガラス４に原稿が載置された後、圧板２０によって、プラテンガラス４を閉めると、図１２に示すように、立面横指標板８は、凹部２１１に略没入する。このため、圧板２０は、立面横指標板８によって損傷を受けることを防止される。また、圧板２０は、原稿をプラテンガラス４に押圧することができる。
【００６３】
なお、立面横指標板８と鏡２５８は、回転するようになっているが、回転しないで、プラテンガラス４に対して略垂直な状態で昇降して凹部１１を出没し、平面横指標板６の背後に突出するようにしてもよい。したがって、立面横指標板８は、プラテンガラス４より上方に突出するのに、回転する場合に限定されるものではなく、昇降して突出するようにしてもよい。
【００６４】
また、本実施形態においては、突出機構２５０に立面横指標板８と鏡２５８を設けているが、突出機構２５０に立面横指標板８を設けずに、反射部材である鏡２５８を設ける構成でも良い。突出機構２５０に鏡２５８を設けることで、ユーザは鏡２５８に映った原稿を見て原稿の位置を容易に判断することができ、原稿を原稿台上の指標板に突き当てることも容易にできる。
【００６５】
さらに、本実施形態の原稿載置部２０１の突出機構２５０は凹部２１１に対して着脱可能に設けられている。このため、突出機構２５０のメンテナンスを容易に行うことができる。また、突出機構２５０を必要としないユーザの要望に応じることもできる。突出機構２５０を取り外された凹部２１１は、着脱自在な蓋６０によって塞がれるようになっている。蓋６０は凹部２１１の入口２１１ｃに着脱されるようになっている。
【００６６】
なお、本実施形態の原稿載置部２０１の突出機構２５０は、原稿台２３０の凹部２１１に着脱できるようになっているが、固定されていてもよく、必ずしも着脱できるようになっている必要がない。
【符号の説明】
【００６７】
１：画像形成装置、１Ａ：画像形成装置の装置本体、４：プラテンガラス、６：平面横指標板（原稿位置決め部材）、７：平面縦指標板（第３の原稿位置決め部材）、８：立面横指標板（第２の原稿位置決め部材）、１２：捩じりばね（付勢部材）、２０：圧板（押圧手段）、３０：原稿台、５０：突出機構（原稿位置確認部）、５３：回転部材（移動部材）、１００：画像読取装置、１０１：原稿載置部（原稿載置装置）、１０２：読取スキャナ（読取部）、２０１：原稿載置部（原稿載置装置）、２３０：原稿台、２５０：突出機構（原稿位置確認部、突出部）、２５３：回転部材（移動部材）、２５８：鏡（反射部材）、Ｐ：シート、Ｄ：原稿，Ｕａ：車椅子使用者、Ｕｂ：健常者、Ｓａ：車椅子使用者の視線、Ｓｂ：健常者の視線。
【図１】
2017103693.tif 000003
【図２】
2017103693.tif 000004
【図３】
2017103693.tif 000005
【図４】
2017103693.tif 000006
【図５】
2017103693.tif 000007
【図６】
2017103693.tif 000008
【図７】
2017103693.tif 000009
【図８】
2017103693.tif 000010
【図９】
2017103693.tif 000011
【図１０】
2017103693.tif 000012
【図１１】
2017103693.tif 000013
【図１２】
2017103693.tif 000014
【図１３】
2017103693.tif 000015
【図１４】
2017103693.tif 000016
【図１５】
2017103693.tif 000017
【図１６】
2017103693.tif 000018
【図１７】
2017103693.tif 000019
【図１８】
2017103693.tif 000020